(57)【要約】【課題】半田しなくてもコネクタ接続部と各部材自身と基板との接続が簡単に行われ、電極の組付けが簡単となる電子機器用コネクタを提供する。【解決手段】電子機器（１０）に結合されるエスカッション（２０）と、エスカッションに保持される外導体（３０）と、絶縁体（４０）と、内導体（５０）と、基板接続バネ（６０）と、から構成される電子機器用コネクタ（９０）において、外導体が導電性の保持部（３０Ａ）を一体に形成し、絶縁体に保持部挿通孔（４１Ａ）を形成し、保持部挿通孔の出口および内導体の端部に基板接続バネ（６０）を配備し、外導体の保持部を絶縁体の保持部挿通孔に嵌合させることにより、外導体の保持部および内導体の端部（５０Ｔ）が基板接続バネとそれぞれ接触するようにした。【選択図】図２
2016024867.tif 000002
【特許請求の範囲】
【請求項１】
電子機器に結合されるエスカッションと、
前記エスカッションに保持されるコネクタアッシーと、を備え、
前記コネクタアッシーが、外導体と、前記外導体の内部に挿入される筒部を立設した絶縁体と、前記絶縁体の前記筒部内に挿入される内導体と、から構成される導体部と、前記外導体と前記内導体とのそれぞれに接触する基板接続バネと、から構成される電子機器用コネクタにおいて、
前記外導体が電気機器側の端部から前記電気機器方向に向けて突出する導電性の保持部を前記外導体に設け、
前記絶縁体の基体に前記保持部を貫通させる保持部挿通孔を形成し、
前記保持部挿通孔の前記電気機器側の出口および前記内導体の前記電気機器側の端部に前記基板接続バネを配備し、
前記外導体の前記保持部を前記絶縁体の前記保持部挿通孔に嵌合させることにより、前記外導体の保持部および前記内導体の前記電気機器側の端部が前記基板接続バネとそれぞれ接触し、
前記絶縁体の前記基体の前記電子機器側の面にバネ挿通溝を備え、前記筒部の軸心方向に対して直交する方向から前記バネ挿通溝に前記基板接続バネを差し込み、前記電子機器の接点部と接触する部分を前記バネ挿通溝から露出させたことを特徴とする電子機器用コネクタ。
【請求項２】
前記保持部がコ字状をしており、前記コ字の一方の脚部を前記外導体に設け、前記コ字の連結部を前記絶縁体の前記保持部挿通孔に嵌合させて前記基板接続バネと接触させ、前記コ字の他方の脚部の先端に係止部を形成し、前記エスカッションに前記係止部を挿入する先端挿入孔を形成し、前記先端挿入孔に前記係止部を挿入して嵌合することを特徴とする請求項１記載の電子機器用コネクタ。
【請求項３】
前記コ字の前記他方の脚部の前記連結部側に前記絶縁体に圧入する突起を形成したことを特徴とする請求項２記載の電子機器用コネクタ。
【請求項４】
曲折部と前記曲折部から両方向に延設する両脚部とを有するバネを複数枚備えて成る基板接続バネのその一方の各脚部の端部を共通連結板で一体成形し、
前記共通連結板と一体の複数のバネのうち前記内導体と接続されるバネの脚部の端部を切除して前記共通連結板と切り離し、
前記絶縁体の前記基体の前記電子機器側の面にバネ挿通溝を備え、前記バネ挿通溝に前記基板接続バネの複数の各バネの曲折部側を差し込み、前記電子機器の接点と接触する部分を前記バネ挿通溝から露出させたことを特徴とする請求項１〜３のいずれか１項記載の電子機器用コネクタ。  
【請求項５】
曲折部と前記曲折部から両方向に延設する両脚部とを有するバネの前記曲折部側を前記絶縁体の前記バネ挿通溝に差し込んで、前記電子機器の接点部と接触する部分を有する前記一方の脚部を前記バネ挿通溝から露出させることにより、前記一方の脚部を片持ちバネとし、他方の脚部を両持ちバネとしたことを特徴とする請求項１〜４のいずれか１項記載の電子機器用コネクタ。
【発明の詳細な説明】
【技術分野】
【０００１】
本発明は、電子機器用コネクタに関するもので、特に、カメラ機器などの電子機器を中継コンタクトを介して外部接続するための電子機器用コネクタ端子に関するものである。
【背景技術】
【０００２】
この種の電子機器用コネクタ端子としては、例えば、特許文献１に開示されたコネクタがある。特許文献１に開示されたコネクタは、部品点数が少なく、小型化を図るのに効果的で組立が簡単であり、しかも電気接続の信頼性を高くすることを目的とするものである。
そのため、具体的には、電子機器のケースにモジュール機器を実装した基板の取付部と、外部接続するコネクタ嵌合部とを有し、電子機器のコネクタ端子は、一端にコネクタ接続部及び他端に中継コンタクトとの係着部を有し、かつ、そのコネクタ接続部がケースのコネクタ嵌合部に突出し、係着部がケースの基板取付部に突出するようにケースに設け、中継コンタクトは、弾性挟持片と弾性接触片とを有し、弾性挟持片でコネクタ端子の係着部に接続し、弾性接触片で基板に電気接続するようにしている。
【０００３】
これにより、中継コンタクトに設けた弾性挟持片でコネクタ端子の係着部を挟持するようにコネクタ端子の一端を中継コンタクトに差し込むだけで、コネクタ端子と中継コンタクトを接続でき、中継コンタクトの弾性接触片で基板に電気接続できるので、構造が簡単となり、部品点数が少なく小型化が容易で、組立が簡単になり組立工数も少なくなる。
また、中継コンタクトを複数の弾性接触片を有するものにすれば、接続不良を効果的に防止出来る。
さらに、複数の弾性接触片の長さを互いに異ならせたものとすると、弾性接触片毎に共振周波数が異なることになり、モジュール機器が車載用モニターカメラ等の場合に走行振動時における接続不良を効果的に防止出来る、という効果がある。
【０００４】
しかしながら、問題点としては、コネクタの内導体は中実の円筒部材であり、コネクタ接続部以外は部材自身と基板接続のため方策を設ける必要がある。
また、外導体は板材より形成する中空円筒形状ではあるが、同様にコネクタ部以外は、半田付けなどの基板接続用部分が必要である。このため、同軸コネクタ部と基板との接続方法は、直接の半田付けで接続させるが、接続部（半田付け部）を可動（上下、左右、前後）させることができない。
さらに、中継コンタクトは、電極ごとに部材が必要でかつ電極との接続部が大きくなり小型化が難しい、などの問題点があった。
【先行技術文献】
【特許文献】
【０００５】
【特許文献１】特開２００７−２２０５１１号公報
【発明の概要】
【発明が解決しようとする課題】
【０００６】
そこで、本発明は上記問題点を解消するためになされたもので、コネクタ接続部と各部材自身と基板との接続が簡単で、半田付けのない、しかも上下、左右、前後に基板が若干可動しても、電気的接続が遮断することのない、電極の組付けが簡単で、小型化に寄与する電子機器用コネクタを提供することを目的としている。
【課題を解決するための手段】
【０００７】
本発明の前述した目的は、下記の構成の電子機器用コネクタ［１］〜［５］により達成される。
［１］  電子機器に結合されるエスカッションと、
前記エスカッションに保持されるコネクタアッシーと、を備え、
前記コネクタアッシーが、外導体と、前記外導体の内部に挿入される筒部を立設した絶縁体と、前記絶縁体の前記筒部内に挿入される内導体と、から構成される導体部と、前記外導体と前記内導体とのそれぞれに接触する基板接続バネと、から構成される電子機器用コネクタにおいて、
前記外導体が前記電気機器側の端部から前記電気機器方向に向けて突出する導電性の保持部を前記外導体に設け、
前記絶縁体の基体に前記保持部を貫通させる保持部挿通孔を形成し、
前記保持部挿通孔の前記電気機器側の出口および前記内導体の前記電気機器側の端部に前記基板接続バネを配備し、
前記外導体の前記保持部を前記絶縁体の前記保持部挿通孔に嵌合させることにより、前記外導体の保持部および前記内導体の前記電気機器側の端部が前記基板接続バネとそれぞれ接触し、
前記絶縁体の前記基体の前記電子機器側の面にバネ挿通溝を備え、前記筒部の軸心方向に対して直交する方向から前記バネ挿通溝に前記基板接続バネを差し込み、前記電子機器の接点部と接触する部分を前記バネ挿通溝から露出させたこと。
【０００８】
［２］  上記［１］の電子機器用コネクタにおいて、前記保持部がコ字状をしており、前記コ字の一方の脚部を前記外導体に設け、前記コ字の連結部を前記絶縁体の前記保持部挿通孔に嵌合させて前記基板接続バネと接触させ、前記コ字の他方の脚部の先端に係止部を形成し、前記エスカッションに前記係止部を挿入する先端挿入孔を形成し、前記先端挿入孔に前記係止部を挿入して嵌合すること。
【０００９】
［３］  上記［２］の電子機器用コネクタにおいて、前記コ字の前記他方の脚部の前記連結部側に前記絶縁体に圧入する突起を形成したこと。
【００１０】
［４］  上記［１］〜［３］のいずれかの電子機器用コネクタにおいて、曲折部と前記曲折部から両方向に延設する両脚部とを有するバネを複数枚備えて成る基板接続バネのその一方の各脚部の端部を共通連結板で一体成形し、
前記共通連結板と一体の複数のバネのうち前記内導体と接続されるバネの脚部の端部を切除して前記共通連結板と切り離し、
前記絶縁体の前記基体の前記電子機器側の面にバネ挿通溝を備え、前記バネ挿通溝に前記基板接続バネの複数の各バネの曲折部側を差し込み、前記電子機器の接点部と接触する部分を前記バネ挿通溝から露出させたこと。
【００１１】
［５］  上記［１］〜［４］のいずれかの電子機器用コネクタにおいて、曲折部と前記曲折部から両方向に延設する両脚部とを有するバネの前記曲折部側を前記絶縁体の前記バネ挿通溝に差し込んで、前記電子機器の接点部と接触する部分を有する前記一方の脚部を前記バネ挿通溝から露出させることにより、前記一方の脚部を片持ちバネとし、他方の脚部を両持ちバネとしたこと。
【００１２】
上記（１）の構成によれば、外導体の保持部を絶縁体の保持部挿通孔に嵌合させることにより、外導体の保持部および内導体の電気機器側の端部が基板接続バネとそれぞれ接触するようになるので、半田しなくても、絶縁体の円筒の軸心方向に対して直交する方向からバネ挿通溝に基板接続バネを差し込むだけで、コネクタ接続部と各部材自身と基板との接続が簡単に行われ、しかも上下、左右、前後に基板が若干可動しても、電気的接続が遮断することのない、電極の組付けが簡単となる。
【００１３】
上記（２）の構成によれば、保持部がコ字状をしており、圧入保持部のコ字の一方の脚部が外導体と一体であり、コ字の連結部が基板接続バネと接触し、コ字の他方の脚部を嵌合する先端挿入孔をエスカッションに形成し、エスカッションの先端挿入孔に外導体の圧入保持部のコ字の他方の脚部を嵌合することにより、電極の組付けが簡単となり、エスカッションとコネクタアッシーとが簡単に機械的に結合されることができる。
【００１４】
上記（３）の構成によれば、外導体の保持部のコ字の脚部の連結部側に絶縁体に圧入する突起を形成したことにより、外導体と絶縁体との結合がより確実なものとなる。
【００１５】
上記（４）の構成によれば、バネを複数枚共通連結板で一体成形し、かつ、共通連結板と一体の複数のバネのうち内導体と接続されるバネの脚部の端部を切除して共通連結板と切り離すことにより、取り扱いが簡便になり、製造工程が簡略化されて好ましい。
【００１６】
上記（５）の構成によれば、一方の脚部を片持ちバネとしたので、弱い押圧力で可動し易くして追従性を良くし、他方の脚部を両持ちバネとしたので、強い押圧力で前記保持部に強固に接続保持させるようにできる。
【発明の効果】
【００１７】
本発明による電子機器用コネクタによれば、端子金具と電子機器との接点部との接続の
信頼性及び耐久性を向上させることができ、部品数を増加せずに電子機器用コネクタと電
子機器との位置ずれを許容して組み付けることができる。
【００１８】
以上、本発明について簡潔に説明した。さらに、以下では、本発明に係る電子機器用コネクタを図面を基に詳細にする。
【図面の簡単な説明】
【００１９】
【図１】図１は本発明の実施形態に係る電子機器用コネクタを車載用カメラに組み立てた状態のカメラモジュールの斜視図で、図１（Ａ）はコネクタアッシー側から見た斜視図、図１（Ｂ）はカメラレンズ側から見た斜視図、図１（Ｃ）は図１（Ｂ）の１Ｃ−１Ｃ矢視断面図である。
【図２】図２は図１のカメラモジュールの分解斜視図である。
【図３】図３は図２のコネクタアッシー（８０）を電子機器（１０）側から見た分解斜視図である。
【図４】図４（Ａ）は電子機器用コネクタを車載用カメラに組み立てる前のカメラモジュールの縦断面図で、図４（Ｂ）は車載用カメラに組み立てた後のカメラモジュールの縦断面図である。
【図５】図５（Ａ）は図８（Ａ）のエスカッション（２０）から導体部（７０）を取り外した状態を背面側から見た斜視図で、図５（Ｂ）は図８（Ｂ）の導体部（７０）の外導体（３０）の圧入保持部を示す断面拡大図である。
【図６】図６（Ａ）は図１のエスカッション（２０）の上部右側を一部カットして示す斜視図で、図６（Ｂ）は図２の外導体（３０）の斜視図である。
【図７】図７は図２の導体部（７０）の組み立て順序を説明する斜視図で、（１）から（３）の順序で組み立てられる。
【図８】図８（Ａ）は図６（Ａ）のエスカッション（２０）をカットしない状態で背面側から見た斜視図で、図８（Ｂ）は図７（Ａ）に記載の各部材が組み立てられた導体部（７０）の斜視図である。
【図９】図９は図２の絶縁体（４０）の外観を示す図で、図９（Ａ）は絶縁体の斜視図、図９（Ｂ）は図９（Ａ）の絶縁体の側面図、図９（Ｃ）は図９（Ａ）の絶縁体の背面図、図９（Ｄ）は図９（Ａ）の絶縁体の正面図、図９（Ｅ）は図９（Ｃ）の５Ｅ−５Ｅ矢視断面図である。
【図１０】図１０は図２の基板接続バネ（６０）の外観を示す図で、図１０（Ａ）は基板接続バネの斜視図、図１０（Ｂ）は図１０（Ａ）の基板接続バネを矢印６Ｂ方向から見た背面図、図１０（Ｃ）は図１０（Ａ）の基板接続バネを矢印６Ｃ方向から見た基板接続バネの側面図、図１０（Ｄ）は図１０（Ａ）の基板接続バネを矢印６Ｄ方向から見た基板接続バネの正面図、図１０（Ｅ）は図１０（Ｄ）の６Ｅ−６Ｅ矢視断面図である。
【図１１】図１１（Ａ）は基板接続バネを絶縁体の嵌合溝へ挿入する前のコネクタアッシーの横断面図で、図１１（Ｂ）は嵌合溝へ挿入し、組み付けた後のコネクタアッシーの横断面図である。
【発明を実施するための形態】
【００２０】
以下、本発明に係る電子機器用コネクタについて、図面を参照して詳細に説明する。
【００２１】
図１は本発明の実施形態に係る電子機器用コネクタを車載用カメラに組み立てた状態のカメラモジュールの斜視図で、図１（Ａ）はコネクタアッシー側から見た斜視図、図１（Ｂ）はカメラレンズ側から見た斜視図、図１（Ｃ）は図１（Ｂ）の１Ｃ−１Ｃ矢視断面図である。
【００２２】
図１（Ａ）において、本発明に係るカメラモジュール１００は、電子機器１０である車載用カメラと、本発明に係る電子機器用コネクタ９０とがパッキンＰを介してネジ孔２１Ｎにネジを締結することにより一体に取り付けられている。
車載用カメラ１０は、公知のものであるので、説明は簡潔にしておく。
図１（Ｂ）において、車載用カメラには正面中央にレンズ１０Ｌが装備されている。レンズ１０Ｌから入射した光は、図１（Ｃ）に示すように、導光体（レンズユニット）１０Ｕを通って第二基板１０Ｋ２に搭載された撮像素子１０Ｃに達し、ここで映像信号に変換される。撮像素子１０Ｃで変換された映像信号は導電手段を介して第一基板１０Ｋ１のコネクタ側に露出している接点部１０Ｓ（図２）に送られる。
車載カメラの筐体１０Ｈにはまずレンズ１０Ｌが正面中央に装備され、その後、撮像素子１０Ｃを搭載した第二基板１０Ｋ２、およびこの第二基板１０Ｋ２と連結手段１０Ｒ、１０Ｒによって所定の離間間隔で対向配置された第一基板１０Ｋ１は、撮像素子１０Ｃの光軸と一致するように図のＸ方向およびＹ方向に動かし微調整して車載カメラの筐体１０Ｈに固定される。
したがって、第一基板１０Ｋ１のＸ方向およびＹ方向の微調整により、接点部１０ＳもＸ方向およびＹ方向に移動し、場合によってＺ方向にも移動することがあるので、本発明では、接点部１０Ｓの３方向の移動に対応できるように、Ｖ字状の基板接続バネ６０を用いてＺ方向に追従できるようにすると共にその接点部６０ＳのＸ方向およびＹ方向の長さを長くして接点部１０ＳのＸ−Ｙ方向の移動範囲をカバーできるようにしている。
【００２３】
カメラモジュール１００の構成について、図２と図３を用いて説明する。
図２は図１のカメラモジュール１００の分解斜視図で、図３は図２のコネクタアッシー８０を電子機器１０側から見た分解斜視図である。
図２および図３において、本発明に係るカメラモジュール１００は、電子機器（車載用カメラ）１０と電子機器用コネクタ９０とから構成される。そして、電子機器用コネクタ９０は、エスカッション２０とコネクタアッシー８０とから構成されている。さらに、コネクタアッシー８０は、導体部７０と基板接続バネ６０とから構成されている。また、導体部７０は外導体３０と絶縁体４０と内導体５０とから構成されている。
したがって、カメラモジュール１００の構成を末端の部品で説明すると、カメラモジュール１００は、電子機器１０とエスカッション２０と外導体３０と絶縁体４０と内導体５０と基板接続バネ６０と、そしてパッキンＰとから構成されている。
そこで、以下で、これらの構成部品について詳しく説明する。
【００２４】
エスカッション２０について、図４および図５を用いて説明する。
図４（Ａ）は電子機器用コネクタを車載用カメラに組み立てる前のカメラモジュールの縦断面図で、図４（Ｂ）は車載用カメラに組み立てた後のカメラモジュールの縦断面図で、図５（Ａ）はエスカッション（２０）から導体部（７０）を取り外した状態を背面側から見た斜視図で、図５（Ｂ）外導体（３０）の圧入保持部を示す断面拡大図である。
エスカッション２０は、絶縁性の樹脂による一体成形品で、電子機器１０の筐体１０Ｈ（図１）の開口部と同じ開口部を備えたフランジ部２１と、このフランジ部２１の中央部から反電子機器側に突出形成された端子保持部２２とから構成されている。
【００２５】
フランジ部２１は、四辺を側壁で囲まれ、中央に窪みを有する矩形状の絶縁性樹脂で、四隅にネジ孔２０Ｎが切ってあり、エスカッション２０を電子機器１０と結合すると、電子機器１０のネジ孔１０Ｎとエスカッション２０のネジ孔２０Ｎが重なり、ネジ釘で固定されるようになる。
また、窪みの中央部から端子保持部２２に向けて外導体挿通路２２Ｇ（図４（Ａ）、図５（Ａ））が形成されている。
外導体挿通路２２Ｇの上下には土手部２１Ａ２、２１Ａ２（図５（Ａ））が外側周縁に沿って形成されている。
土手部２１Ａ２、２１Ａ２の外側に圧入保持部３０Ａ（図２）のコ字状の折り返し部である他方の脚部先端Ａ３（図６（Ｂ））が嵌入する先端挿入孔２１Ａ３、２１Ａ３（図５（Ａ））が形成されている。
土手部２１Ａ２、２１Ａ２のそれぞれ両端に係止部２１Ａ４、２１Ａ４（図５（Ａ））が形成されている。
エスカッション２０のフランジ部２１を図４（Ａ）の状態から図４（Ｂ）の状態に電子機器１０に結合させると、後述する基板接続バネ６０が電子機器１０の側にある接点部１０Ｓと接触し、車載用カメラに搭載の撮像素子１０Ｃの映像信号がエスカッション２０側に伝えられる。
【００２６】
端子保持部２２を図６を用いて説明する。
図６（Ａ）は図１のエスカッション（２０）の上部右側を一部カットして示す斜視図で、図６（Ｂ）は図２の外導体（３０）の斜視図である。
端子保持部２２は、円筒状をしており、外側上部に相手方コネクタと係合する係止片２０Ｋを備えている。円筒内部は、図４（Ａ）および図４（Ｂ）に示すように、外導体３０の挿通する外導体挿通路２２Ｇ（図５（Ａ））がフランジ部２１側から途中まで形成され、そこから先端までは相手方コネクタのハウジングおよび端子部が挿入される空間２２Ｌが形成されている。
【００２７】
次に、外導体３０を図７を用いて説明する。
図７は図２の導体部（７０）の組み立て順序を説明する斜視図で、（１）から（３）の順序で組み立てられる。外導体３０は、中空円筒形状であり、シールドケーブルのシールド用編組との接続部３１と、エスカッション２０の外導体挿通路２２Ｇに固定される固定部３２とを有する。固定部３２の基部側の上下部には、圧入保持部３０Ａが一体成形されている。
【００２８】
圧入保持部３０Ａは、外導体３０と基板接続バネ６０とを電気的に接続させる本発明の重要な要素であり、図６（Ｂ）に示すように、コ字状をしている。
コ字の下方脚部Ａ１が外導体３０の電子機器側端部と一体に形成され、コ字の下方脚部Ａ１から垂直にコ字の連結部Ａ２が立設し、さらにコ字の連結部Ａ２の上部でコ字の上方脚部Ａ３がエスカッション側に水平に曲折している。なお、コ字の下方脚部Ａ１と外導体３０とは打ち抜き加工等で一体に形成されているが、コ字の下方脚部Ａ１と外導体３０とを別体で形成し、互いに接着・溶着・嵌着・圧着・ネジ止めなどの方法で一体にしてもよいことは言うまでもない。
コ字の連結部Ａ２の横幅は下方脚部Ａ１の横幅と比べて横幅の広い幅広部Ａ４に形成されている。このように横幅の広い幅広部Ａ４とすることによって、基板接続バネ６０との接触面積を広くして、接触を確実にしている。
さらに、コ字の上方脚部Ａ３は、曲折部から先端に向けて徐々に幅広となる楔部Ａ３ｗと、突起Ａ３ｗから先端に向けて横幅が狭まって下方脚部Ａ１の横幅と等しくなる幅狭部Ａ３ｎと、幅狭部Ａ３ｎから先端に向けて横幅が急に広くなった後、徐々に先細となる係止部Ａ３ｋとから成るように形成されている。
なお、ここでは圧入保持部３０Ａのコ字の連結部Ａ２、幅広部Ａ４を絶縁体４０のフランジ部４１の圧入保持部挿通孔４１Ａの十字状孔に圧入しているが、必ずしも圧入が必須ではなく、互いに係合部を形成することにより係合により保持させてもよい。
【００２９】
次に、以上説明したエスカッション２０と外導体３０との組み付けについて、図８を用いて説明する。
図８（Ａ）は図６（Ａ）のエスカッション（２０）をカットしない状態で背面側から見た斜視図で、図８（Ｂ）は図７（Ａ）に記載の各部材が組み立てられた導体部（７０）の斜視図である。
エスカッション２０のフランジ部２１は、図５（Ａ）で説明したように、窪みの中央部から端子保持部２２に向けて外導体挿通路２２Ｇが形成されており、この外導体挿通路２２Ｇに円筒状をした外導体３０が挿入される。外導体挿通路２２Ｇの上下には外側周縁に沿って土手部２１Ａ２、２１Ａ２が形成されており、この土手部２１Ａ２、２１Ａ２に外導体３０（図６（Ｂ））の上下の圧入保持部３０Ａに形成されたコ字状の連結部Ａ２がそれぞれ当接し、そして圧入保持部３０Ａのコ字状折り返し部の脚部先端Ａ３が、エスカッション２０の先端挿入孔２１Ａ３、２１Ａ３にそれぞれ挿入され、先端挿入孔２１Ａ３、２１Ａ３の内部側壁に圧入してエスカッション２０と外導体３０とは互いに固定される。
このとき、エスカッション２０の土手部２１Ａ２、２１Ａ２のそれぞれ両端に形成された係止部２１Ａ４、２１Ａ４が、誘導体４０の圧入保持部挿通孔４１Ａ（後述。図９（Ｃ）、図９（Ｄ））の十字状孔の水平（左右）方向の両端壁面に係合して、エスカッション２０と絶縁体４０とは互いに固定される。
【００３０】
図９は図２の絶縁体（４０）の外観を示す図で、図９（Ａ）は絶縁体の斜視図、図９（Ｂ）は図９（Ａ）の絶縁体の側面図、図９（Ｃ）は図９（Ａ）の絶縁体の背面図、図９（Ｄ）は図９（Ａ）の絶縁体の正面図、図９（Ｅ）は図９（Ｃ）の５Ｅ−５Ｅ矢視断面図である。
絶縁体４０は、図９（Ａ）に示すように、矩形状をしたフランジ部４１と、このフランジ部４１の中央部から反電子機器側に突出する中空円筒部４２とから成り、いずれも絶縁体で一体に形成されており、外導体３０と内導体５０との絶縁の役割をしている。絶縁体４０としては、プラスチック、セラミック、ゴム等で実現できる。
なお、インピーダンスマッチングに重点が置かれる場合は、この絶縁体４０として、所望の誘電率を有する誘電体を用いることができる。
また、本発明ではフランジ部４１を矩形状に形成しているが、矩形状に限定されるものではなく、円形や楕円、三角形、多角形などでも良い。
さらに、本発明ではフランジ部４１の中央部から中空円筒部４２を突出させているが、中空円筒に限定されるものではなく、中空の楕円筒や中空の角筒などでも良い。
【００３１】
フランジ部４１には、中空円筒部４２の付け根の上下近傍に圧入保持部挿通孔４１Ａが形成されている。また、フランジ部４１の電子機器側の面にはバネ挿通溝４１Ｍが左右方向に一端から他端まで複数本（端子バネ１本についてバネ挿通溝４１Ｍが２本用いられるから、図では端子バネ３本あるので、バネ挿通溝４１Ｍは全体で６本）形成されている。
【００３２】
圧入保持部挿通孔４１Ａは、図９（Ｃ）および図９（Ｄ）に示すように、十字状に形成されている。圧入保持部挿通孔４１Ａの十字状孔の上下方向の内径は、外導体３０のコ字状をした圧入保持部３０Ａのコ字の連結部Ａ２の丈が挿入されることのできる内径となっている。また、圧入保持部挿通孔４１Ａの十字状孔の左右方向の内径は、外導体３０のコ字状をした圧入保持部３０Ａのコ字の連結部Ａ２の幅広部Ａ４が挿入されることのできる内径となっている。したがって、外導体３０のコ字状をした圧入保持部３０Ａのコ字の連結部Ａ２、幅広部Ａ４が絶縁体４０のフランジ部４１の圧入保持部挿通孔４１Ａの十字状孔に圧入されることにより、外導体３０は絶縁体４０の圧入保持部挿通孔４１Ａを貫通して基板接続バネ６０（図１０）と接続できるようになる。
【００３３】
バネ挿通溝４１Ｍは、図９（Ａ）、図９（Ｂ）、および図９（Ｅ）に示すように、フランジ部４１の一端から他端にまで水平方向に延びる２本の溝が互いに対向するように１対形成され、これが３対、フランジ部４１に形成されている。１対の溝の間隔は基板接続バネ６０の横幅に等しく、溝の深さは、基板接続バネ６０の厚み等しくなっている。
【００３４】
中空円筒部４２は、中空円筒形状であり、中空円筒部が内導体挿通路４２Ｎとして機能している。内導体挿通路４２Ｎはフランジ部４１側から途中まで形成され、そこから先端までは相手方コネクタの端子部が挿入される空間４２Ｌが形成されている。
【００３５】
内導体５０は、図２および図３に示すように、中実の細長い棒状形状である。内導体５０は、長さの約２／３が絶縁体４０の中空円筒部４２に挿通され、残りの約１／３は中空円筒部４２から前方に露出している（図４（Ａ）および図４（Ｂ）参照）。
【００３６】
次に、基板接続バネ６０について、図１０を用いて説明する。
図１０は図２の基板接続バネ（６０）の外観を示す図で、図１０（Ａ）は基板接続バネの斜視図、図１０（Ｂ）は図１０（Ａ）の基板接続バネを矢印６Ｂ方向から見た背面図、図１０（Ｃ）は図１０（Ａ）の基板接続バネを矢印６Ｃ方向から見た基板接続バネの側面図、図１０（Ｄ）は図１０（Ａ）の基板接続バネを矢印６Ｄ方向から見た基板接続バネの正面図、図１０（Ｅ）は図１０（Ｄ）の６Ｅ−６Ｅ矢視断面図である。
基板接続バネ６０は、複数のＶ字状バネから成り、複数のＶ字状バネのそれぞれ一方の各脚部の端部を共通連結板６０Ｒで一体に連結している。基板接続バネ６０は図１０（Ｆ）から判るように、１枚の金属板をほぼ中央部でＶ字に曲げて曲折部６０Ｍとし、一方の脚部６０Ｆ１を電子機器側に向け、他方の脚部６０Ｆ２をエスカッション側に向けて延設している。脚部６０Ｆ１は先端近傍で緩やかに曲げて、接点部１０Ｓ（図２）と接触する接点部６０Ｓを形成している。
脚部６０Ｆ２は先端に向かう中央部位を工具で内側から外側に向けて突出部６０Ｔを形成させ、突出部６０Ｔを挟んだ両側を長さ方向に所定長さだけ、打ち抜いて開口部６０Ｋ、６０Ｋ（図１０（Ａ）、図１０（Ｂ））を形成して、突出部６０Ｔを変位し易くしている。脚部６０Ｆ２の先端は共通連結板６０Ｒとなっている。
【００３７】
共通連結板６０Ｒはそれまでの６０Ｆ２の面より段部６０Ｄが形成されている。この段部６０Ｄは押し込み工具を使って絶縁体４０のフランジ部４１のバネ挿通溝４１Ｍに押し込む際に、共通連結板６０Ｒだけを押し込み工具が把持するように、工具の位置決めとなっている。
【００３８】
共通連結板６０Ｒと一体の３枚のＶ字状バネはそれぞれ同じ形状をしており、３枚のＶ字状バネのうち両端のＶ字状バネは接点部６０Ｓで、両側の接点部１０Ｓ（図２）と接触し、その各突出部６０Ｔは外導体の上下のコ字の連結部Ａ２（図６（Ｂ））とそれぞれ接触する。
また、３枚のＶ字状バネのうち真ん中のＶ字状バネは接点部６０Ｓで、真ん中の接点部１０Ｓ（図２）と接触し、その突出部６０Ｔは内導体５０（図４（Ａ））の端部５０Ｔと接触する。
【００３９】
共通連結板６０Ｒと一体の複数のＶ字状バネのうち内導体５０と接続される真ん中のＶ字状バネの脚部の端部Ｃ（図１０（Ｂ））を組み付けの前後に工具で切除して、共通連結板６０Ｒと切り離すようにすると、製造工程が簡略化されるので、好都合である。
【００４０】
このように共通連結板６０Ｒを設けると取り扱いが簡便になり、製造工程が簡略化されて好ましい。
しかしながら、必ずしも共通連結板６０Ｒが必須のものではなく、３枚のＶ字状バネをバラバラにして、それぞれのＶ字状バネを絶縁体のそれぞれの嵌合溝へ挿入するようにしてもよいことは言うまでもない。
【００４１】
また、ここではＶ字状バネを用いているが、必ずしもＶ字状バネが必須のものではなく、Ｕ字状バネを用いてもよいし、コイルスプリング、導電性スポンジバネなどを用いることも可能である。
【００４２】
また、本発明ではＶ字状バネは３枚使っている。理論的には外導体３０用の１枚と内導体５０用の１枚の都合２枚のＶ字状バネで回路的には良いが、外導体３０用に２枚用いると組み合わせのバランス感覚および外導体のＶ字状バネが１本接触不良になったときにもう１枚あればバックアップとなり、動作が継続することができる。
同じく、外導体の上下にそれぞれ圧入保持部３０Ａ（図６（Ｂ））を設けているが、回路的には外導体の上か下の１カ所でよい。しかし上下に設けることで、組付け時に上下を意識しないで組み付けられる簡便さや、１カ所の圧入保持部３０Ａが接触不良になったときもう１カ所の圧入保持部３０Ａが機能するバックアップの役割を果している。
【００４３】
基板接続バネ６０を絶縁体４０に装着するには、図１１のように行われる。
図１１（Ａ）は基板接続バネを絶縁体の嵌合溝へ挿入する前のコネクタアッシーの横断面図で、図１１（Ｂ）は嵌合溝へ挿入し、組み付けた後のコネクタアッシーの横断面図である。
絶縁体４０のフランジ部４１の電子機器側の面に形成されたバネ挿通溝４１Ｍに、基板接続バネ６０の曲折部６０Ｍ側から図１１（Ａ）の矢印方向に近接させて、基板接続バネ６０の脚部６０Ｆ２（図１０（Ｂ））の両側に張り出した溝挿入部６０Ａ、６０Ａをバネ挿通溝４１Ｍに挿入して、さらに前進させると、最終的に、図１１（Ｂ）のように、基板接続バネ６０の脚部６０Ｆ２がバネ挿通溝４１Ｍに収まり、曲折部６０Ｍから基板接続バネ６０の脚部６０Ｆ１はバネ挿通溝４１Ｍから電子機器側の接点部１０Ｓ（図２）に向けて延びる。
一方、基板接続バネ６０の共通連結板６０Ｒはバネ挿通溝４１Ｍに入らずに露出している。このように、共通連結板６０Ｒおよび各端子の付け根部分がバネ挿通溝４１Ｍから露出しているので、内導体と接触する端子の付け根を容易に切除することができる。
なお、この状態で、共通連結板６０Ｒと一体の３枚のＶ字状バネのうち真ん中のＶ字状バネは突出部６０Ｔが内導体５０の端部５０Ｔと接触している。
また、図１１では表れていないが、共通連結板６０Ｒと一体の３枚のＶ字状バネのうち両端のＶ字状バネは突出部６０Ｔが外導体（図６（Ｂ））のコ字の連結部Ａ２と接触している。
以上のような構成により、Ｖ字状バネのうち一方の脚部は片持ちバネとなって、弱い押圧力で可動し易くして追従性を良くし、他方の脚部は両持ちバネとなって、強い押圧力で保持部に強固に接続保持するようになる。
また、片持ちバネ側を保持部に接続するようにして、両持ちバネ側を電子機器側に接続保持するようにしてもよい。
【００４４】
以上説明した絶縁体４０と内導体５０と基板接続バネ６０の３部品を外導体３０へ組み立てる順序について、図７で説明する。図７は図２の導体部（７０）の組み立て順序を説明する斜視図である。まず、図７の矢印方向（１）から内導体５０を絶縁体４０の内部に挿入する。次に、図７の矢印方向（２）から基板接続バネ６０を絶縁体４０のバネ挿通溝４１Ｍに装着する。次に、矢印方向（３）からこの絶縁体４０の中空円筒部４２を外導体３０の内部空間に挿入し、外導体３０の圧入保持部３０Ａを絶縁体４０の圧入保持部挿通孔４１Ａに挿入させる。
以上の順序で組み立てられて、コネクタアッシー８０（図２）が完成する。
コネクタアッシー８０にエスカッション２０が組み付けられて本発明に係る電子機器用コネクタ９０が完成する。そして、本発明に係る電子機器用コネクタ９０を電子機器１０に結合すると、カメラモジュール１００が完成する。
【００４５】
以上に説明した電子機器用コネクタ９０の構成によれば、外導体の圧入保持部を絶縁体の圧入保持部挿通孔に嵌合させることにより、外導体の圧入保持部および内導体の電気機器側の端部が基板接続バネとそれぞれ接触するようになるので、半田しなくてもコネクタ接続部と各部材自身と基板との接続が簡単に行われ、しかも上下、左右、前後に基板が若干可動しても、電気的接続が遮断することのない、電極の組付けが簡単となる。
【００４６】
ここで、上述した本発明に係る電子機器用コネクタの特徴をそれぞれ以下［１］〜［５］に簡潔に纏めて列記する。
［１］電子機器（１０）に結合されるエスカッション（２０）と、
前記エスカッションに保持されるコネクタアッシー（８０）と、を備え、
前記コネクタアッシーが、外導体（３０）と、前記外導体の内部に挿入される筒部を立設した絶縁体（４０）と、前記絶縁体の前記筒部内に挿入される内導体（５０）と、から構成される導体部（７０）と、前記外導体と前記内導体とのそれぞれに接触する基板接続バネ（６０）と、から構成される電子機器用コネクタ（９０）において、
前記外導体が前記電気機器側の端部から前記電気機器方向に向けて突出する導電性の保持部を前記外導体に設け、
前記絶縁体の基体に前記保持部を貫通させる保持部挿通孔（４１Ａ）を形成し、
前記保持部挿通孔の前記電気機器側の出口および前記内導体の前記電気機器側の端部に前記基板接続バネ（６０）を配備し、
前記外導体の前記保持部を前記絶縁体の前記保持部挿通孔に嵌合させることにより、前記外導体の保持部および前記内導体の前記電気機器側の端部（５０Ｔ）が前記基板接続バネとそれぞれ接触し、
前記絶縁体の前記基体の前記電子機器側の面にバネ挿通溝（４１Ｍ）を備え、前記筒部の軸心方向に対して直交する方向から前記バネ挿通溝に前記基板接続バネを差し込み、前記電子機器の接点部（１０Ｓ）と接触する部分を前記バネ挿通溝から露出させたことを特徴とする電子機器用コネクタ。
［２］  上記［１］の電子機器用コネクタにおいて、前記保持部（３０Ａ）がコ字状をしており、前記コ字の一方の脚部（Ａ１）を前記外導体（３０）に設け、前記コ字の連結部（Ａ２）を前記絶縁体の前記保持部挿通孔に嵌合させて前記基板接続バネ（６０）と接触させ、前記コ字の他方の脚部（Ａ３）の先端に係止部（Ａ３ｋ）を形成し、前記エスカッションに前記係止部を挿入する先端挿入孔（２１Ａ３）を形成し、前記先端挿入孔に前記係止部を挿入して嵌合することを特徴とする電子機器用コネクタ。
［３］  上記［２］の電子機器用コネクタにおいて、前記コ字の前記他方の脚部の前記連結部側に前記絶縁体に圧入する突起（Ａ３ｗ）を形成したことを特徴とする電子機器用コネクタ。
［４］  上記［１］〜［３］のいずれかの電子機器用コネクタにおいて、曲折部と前記曲折部から両方向に延設する両脚部とを有するバネを複数枚備えて成る基板接続バネのその一方の各脚部の端部を共通連結板（６０Ｒ）で一体成形し、
前記共通連結板と一体の複数のバネのうち前記内導体と接続されるバネの脚部の端部を切除して前記共通連結板と切り離し、
前記絶縁体の前記基体の前記電子機器側の面にバネ挿通溝（４１Ｍ）を備え、前記バネ挿通溝に前記基板接続バネの複数の各バネの曲折部側を差し込み、前記電子機器の接点部（１０Ｓ）と接触する部分を前記バネ挿通溝から露出させたことを特徴とする電子機器用コネクタ。  
［５］  上記［１］〜［４］のいずれかの電子機器用コネクタにおいて、曲折部と前記曲折部から両方向に延設する両脚部とを有するバネの前記曲折部側を前記絶縁体の前記バネ挿通溝に差し込んで、前記電子機器の接点部と接触する部分を有する前記一方の脚部を前記バネ挿通溝から露出させることにより、前記一方の脚部を片持ちバネとし、他方の脚部を両持ちバネとしたことを特徴とする電子機器用コネクタ。  
【符号の説明】
【００４７】
１０：電子機器（車載用カメラ）
１０Ｓ：接点部
２０：エスカッション
２１：フランジ部
２１Ａ２：土手部
２１Ａ３：先端挿入孔
２１Ａ４：係止部
２２：端子保持部
２２Ｇ：外導体挿通路
３０：外導体
３０Ａ：圧入保持部
Ａ２：連結部
Ａ３：脚部先端
Ａ４：幅広部
４１Ａ：圧入保持部挿通孔
４０：絶縁体（誘導体でも可）
４１：フランジ部
４１Ｍ：バネ挿通溝
４２：中空円筒部
４２Ｌ：空間
４２Ｎ：内導体挿通路
５０：内導体
６０：基板接続バネ
６０Ｍ：曲折部
６０Ｆ１：一方の脚部
６０Ｆ２：他方の脚部
６０Ｔ：突出部
６０Ｋ：開口部
６０Ｒ：共通連結板
６０Ｄ：段部
７０：導体部
８０：コネクタアッシー
９０：本発明に係る電子機器用コネクタ
１００：カメラモジュール
【図１】
2016024867.tif 000003
【図２】
2016024867.tif 000004
【図３】
2016024867.tif 000005
【図４】
2016024867.tif 000006
【図５】
2016024867.tif 000007
【図６】
2016024867.tif 000008
【図７】
2016024867.tif 000009
【図８】
2016024867.tif 000010
【図９】
2016024867.tif 000011
【図１０】
2016024867.tif 000012
【図１１】
2016024867.tif 000013